(57)【要約】【課題】流量制御弁の安定した動作を確保し、弁に接続される管の外れ、弁本体底部の損傷を確実に防止し、冷凍サイクル等に用いた場合でも、圧縮機の円滑な動作を維持する。【解決手段】内部に弁室５を有する有底筒状に形成され、底部に弁室に連通する弁孔６が穿設された弁本体２と、弁孔を開閉する弁体７と、弁本体の内部に設けられ、弁体を弁孔を開閉する方向に移動させる駆動機構１２〜１４と、弁本体の外周部に装着され、駆動機構を駆動する電磁力を発生させるコイルモールド体８と、弁本体の弁孔の底面と円筒状側面との境界部に形成されたノッチ２ａとを備える流量制御弁１。弁孔を介して弁室に連通する流体通路を形成するために弁本体に固定される管４の内部に、弁本体の弁孔の周囲から突出し、管の内壁との管に隙間を形成する突出部２ｂを備えることが好ましい。【選択図】図１
2010025300.tif 000002
【特許請求の範囲】
【請求項１】
内部に弁室を有する有底筒状に形成され、底部に前記弁室に連通する弁孔が穿設された弁本体と、
前記弁孔を開閉する弁体と、
前記弁本体の内部に設けられ、前記弁体を前記弁孔を開閉する方向に移動させる駆動機構と、
前記弁本体の外周部に装着され、前記駆動機構を駆動する電磁力を発生させるコイルモールド体と、
前記弁本体の前記弁孔の底面と円筒状側面との境界部に形成されたノッチとを備えることを特徴とする流量制御弁。
【請求項２】
前記弁孔を介して前記弁室に連通する流体通路を形成するために前記弁本体に固定される管の内部に、前記弁本体の前記弁孔の周囲から突出し、前記管の内壁との管に隙間を形成する突出部を備えることを特徴とする請求項１に記載の流量制御弁。
【発明の詳細な説明】
【技術分野】
【０００１】
本発明は、冷凍サイクルの冷媒流量の制御等を行うために用いられ、電磁力によって弁体の開閉操作を行う流量制御弁に関する。
【背景技術】
【０００２】
上記流量制御弁の一例として、従来用いられている電磁弁は、例えば、図２に示すように、弁座３６を有する弁室３５を内部に備える真鍮製の弁本体３２と、弁本体３２に接続されて弁室３５に連通する銅製の流入管３３と、弁本体３２の弁座３６より下流側に接続された銅製の流出管３４と、弁本体３２の上方に装着され、弁座３６にボール状の弁体３７を接離させるための電磁式アクチュエータ３８等を備える。
【０００３】
電磁式アクチュエータ３８は、通電励磁用のコイル４１と、コイル４１の上部内周側に配置された吸引子４２と、吸引子４２の外周段差部と弁本体３２の上部内周段差部に各々上下端部が溶接等で接合されたステンレス製のガイドパイプ４６と、ガイドパイプ４６の内部において吸引子４２の下方に配置され、コイル４１への無通電時に、吸引子４２に対して所定の間隔を開けて対向配置されるプランジャ４４と、コイル４１の外周を覆うハウジング４０とを備える。
【０００４】
また、プランジャ４４の下端部には、保持穴４５が穿設され、この保持穴４５に弁体３７が、その下面の一部を露出させた状態で収納されてかしめ固定（かしめ部４５ａ）されている。プランジャ４４の上部には、コイルばねからなる閉弁ばね４３を挿入係止したばね室４４ａが縦方向に延設され、均圧穴４４ｂが横方向に延設される。
【０００５】
上記構成を有する電磁弁３１は、コイル４１に通電されると、吸引子４２にプランジャ４４が引き寄せられて吸着し、これに伴い、弁体３７が弁座３６から離間して開弁する。一方、コイル４１への通電が停止されると、閉弁ばね４３の付勢力によりプランジャ４４及び弁体３７が下方に押し戻されて閉弁する。
【０００６】
この電磁弁３１を組み立てる際には、弁本体３２へ流入管３３、流出管３４及びガイドパイプ４６を各々溶接する必要があるとともに、ガイドパイプ４６を弁本体３２へ溶接する際には、芯出しを行う必要がある。また、真鍮製の弁本体３２へ銅製の流入管３３及び流出管３４を溶接する際には、フラックスを使用するろう付けを行っている。そのため、フラックスを多量に使用することにより自然環境へ悪影響を及ぼす可能性や、フラックスの除去等の作業量の増加のために製造コストの増加に繋がるなどの問題があった。
【０００７】
そこで、特許文献１には、プランジャの内部に弁体を設け、プランジャの上端面と対向する吸引子の下端面との間にスプリングを縮設してなる電磁弁において、電磁弁の流体通路を気密に保持する部材をステンレス鋼製でチューブ状に形成し、弁本体と一体化した電磁弁が記載され、この電磁弁によれば、ろう付け箇所を従来の３箇所から２箇所に減らすとともに、従来のガイドパイプ等の芯出しが不要で、フラックスに関する問題も解消することができる。
【特許文献１】特開２００２−１３９１６９号公報
【発明の開示】
【発明が解決しようとする課題】
【０００８】
しかし、上記特許文献１に記載の電磁弁においては、チューブ状に形成された弁本体がプレス加工によって形成されるため、弁孔が穿設された底部の機械的強度が不足し、安定した弁の動作を確保できないおそれがあった。これに加え、弁孔が穿設された底部は、薄肉に形成されているため、管を溶接固定した際に固定力が弱く、管が外れたり、弁本体の底部が損傷する懸念もあった。さらに、弁本体の底部の弁孔の周囲が窪んでいるため、この電磁弁を冷凍サイクル等に使用した場合には、圧縮機用の潤滑油が弁本体底部に溜まり、差圧を受ける面積が増えることにより弁体を下方へ押圧する荷重が増え、弁体の開閉動作の妨げになるとともに、圧縮機の円滑な動作を妨げる要因になるという問題もあった。
【０００９】
そこで、本発明は、上記従来の電磁弁における問題点に鑑みてなされたものであって、簡易な構成にて、弁の安定した動作を確保し、管の外れ、弁本体底部の損傷を確実に防止し、冷凍サイクル等に用いた場合でも、圧縮機の円滑な動作を維持することのできる流量制御弁を提供することを目的とする。
【課題を解決するための手段】
【００１０】
上記目的を達成するため、本発明は、流量制御弁であって、内部に弁室を有する有底筒状に形成され、底部に前記弁室に連通する弁孔が穿設された弁本体と、前記弁孔を開閉する弁体と、前記弁本体の内部に設けられ、前記弁体を前記弁孔を開閉する方向に移動させる駆動機構と、前記弁本体の外周部に装着され、前記駆動機構を駆動する電磁力を発生させるコイルモールド体と、前記弁本体の前記弁孔の底面と円筒状側面との境界部に形成されたノッチとを備えることを特徴とする。
【００１１】
そして、本発明によれば、ノッチを弁本体の弁孔の底面と円筒状側面との境界部に形成したため、ノッチによって底部の機械的強度を高めることができ、簡易な構成で底部の機械的強度を高めることができて弁の安定した動作を確保することができる。これに加え、底部に溜まった潤滑油がノッチを形成した際の傾斜面に案内されて弁孔から排出され易くなり、底部に溜まる潤滑油の量が少なくなる。よって、弁体を下方へ押圧する荷重が増え、弁体の開閉動作が妨げられるのを回避することができる。これにより、この流量制御弁を冷凍サイクル等に使用した場合でも、圧縮機の円滑な動作を維持することができる。
【００１２】
また、上記流量制御弁において、前記弁孔を介して前記弁室に連通する流体通路を形成するために前記弁本体に固定される管の内部に、前記弁本体の前記弁孔の周囲から突出し、前記管の内壁との管に隙間を形成する突出部を備えることができる。これによって、管を外側から弁本体の外表面にろう付け固定するだけでなく、前記隙間を利用して管と突出部との間にもろう溜まり部を設けることができるため、管を外側と内側の両側からろうで強固に固定することができ、管の外れ、弁本体底部の損傷を回避することができる。
【発明の効果】
【００１３】
以上のように、本発明によれば、簡易な構成にて、弁の安定した動作を確保し、管の外れ、弁本体底部の損傷を確実に防止し、冷凍サイクル等に用いた場合でも、圧縮機の円滑な動作を維持することのできる流量制御弁を提供することができる。
【発明を実施するための最良の形態】
【００１４】
次に、本発明の実施の形態について図面を参照しながら説明する。
【００１５】
図１は、本発明にかかる流量調整弁の一実施の形態としての電磁弁１を示す。この電磁弁１は、内部に弁室５を有する有底円筒状に形成され、底部に弁孔６が穿設された弁本体２と、弁孔６を開閉する球状の弁体７と、弁本体２の内部に設けられ、弁体７を弁孔６を開閉する方向に移動させる駆動機構としての吸引子１２、閉弁ばね１３及びプランジャ１４と、弁本体２の外周部に装着され、上記駆動機構を駆動する電磁力を発生させるコイルモールド体８とを備える。
【００１６】
弁本体２は、全体的に有底円筒状に形成され、その上部が開口し、上端部が吸引子１２の段部に固定される。弁本体２の内部には、プランジャ１４が上下方向に移動可能に備えられ、弁本体２の底部に穿設された弁孔６を、プランジャ１４の下端部の保持穴１５にかしめ固定（かしめ部１５ａ）された弁体７が開閉する。
【００１７】
弁本体２の下部には、銅製の流入管３と、流出管４とがろう付けによって固定され、流入管３及び流出管４の内部の流体通路が弁本体２の内部の弁室５に連通する。
【００１８】
弁本体２の底面と円筒状側面との境界部には、底面の機械的強度を補強するため、横断面Ｖ字状のノッチ（溝部）２ａが複数箇所（本実施形態では５箇所）に形成される。また、このノッチ２ａを形成することにより、底面部には、傾斜面２ｃが形成されるため、弁本体２の底部に溜まった潤滑油が傾斜面２ｃに案内されて弁孔６から排出され易くなり、弁本体２の底部に溜まる潤滑油の量を少なくすることもできる。尚、ノッチ（溝部）２ａの断面形状は、Ｖ字状以外にもＵ字状等種々の形状とすることができる。
【００１９】
弁本体２の弁孔６の周辺部には、図１（ｃ）に明示されるように、突出部２ｂが下方に突出する。この突出部２ｂは、弁本体２の底面の直下の部分が小径に、下端部が大径に形成され、突出部２ｂの外周面と流出管４の内周面との間には、隙間１６が形成される。そこで、流出管４を外側から弁本体２の外表面にろう付け固定する（ろう付け部１７）だけでなく、流出管４の上端部に開口部を形成し、隙間１６をろう溜まりとして利用し、流出管４と突出部２ｂとの間もろう付けすることで、流出管４を外側と内側の両側からろうで強固に固定することができる。
【００２０】
駆動機構を構成する吸引子１２は、弁本体２の上部に固定され、吸引子１２の上部には、ハウジング１０がボルト１８によって固定される。吸引子１２とプランジャ１４との間には、閉弁ばね１３が介装され、プランジャ１４を下方に付勢している。また、プランジャ１４の上部には、閉弁ばね１３を挿入係止したばね室１４ａが縦方向に延設され、均圧穴１４ｂが横方向に延設される。
【００２１】
コイルモールド体８は、弁本体２の外周部に装着され、駆動機構を駆動する電磁力を発生させるコイル１１と、コイル１１の外周を覆うハウジング１０とを備える。
【００２２】
上記構成を有する電磁弁１は、コイル１１に通電されると、吸引子１２にプランジャ１４が引き寄せられて吸着し、これに伴い、ボール状の弁体７が弁孔６を開き開弁する。これにより、流入管３から流出管４に弁室５を介して流体が流れる。一方、コイル１１への通電が停止されると、閉弁ばね１３の付勢力によりプランジャ１４及び弁体７が下方に押し戻されて弁孔６が閉じて閉弁する。
【００２３】
以上説明したように、上記電磁弁１によれば、弁本体２の弁孔６を穿設した底面と円筒状側面との境界部にノッチ２ａを形成したため、弁本体２の底部の機械的強度を高めることができ、弁の安定した動作を確保することができる。
【００２４】
また、電磁弁１によれば、弁本体２の底部に溜まった潤滑油が傾斜面２ｃに案内されて弁孔６から排出され易くなり、弁本体２の底部に溜まる潤滑油の量を少なくすることもできるため、この流量制御弁１を冷凍サイクル等に使用した場合でも、圧縮機の円滑な動作を維持することができる。
【００２５】
さらに、弁本体２に固定される流出管４の内部に突出部２ｂが突出し、流出管４を外側と内側の両側からろうで強固に固定しているため、弁本体２からの流出管４の外れ、弁本体２の底部の損傷を回避することができる。
【００２６】
尚、上記実施の形態においては、アクチュエータとしてプランジャと吸引子を有する電磁弁に本発明を適用した場合について説明したが、本発明は、アクチュエータとして電動モータを用いた電動弁にも適用することもできる。
【図面の簡単な説明】
【００２７】
【図１】本発明にかかる流量制御弁の一実施の形態を示す図であって、（ａ）は正面断面図、（ｂ）は底面図、（ｃ）は（ａ）の一部拡大図である。
【図２】従来の電磁弁の一例を示す正面断面図である。
【符号の説明】
【００２８】
１  電磁弁
２  弁本体
２ａ  ノッチ
２ｂ  突出部
２ｃ  傾斜面
３  流入管
４  流出管
５  弁室
６  弁孔
７  弁体
８  コイルモールド体
１０  ハウジング
１１  コイル
１２  吸引子
１３  閉弁ばね
１４  プランジャ
１４ａ  ばね室
１４ｂ  均圧孔
１５  保持穴
１５ａ  かしめ部
１６  隙間（ろう溜まり）
１７  ろう付け部
１８  ボルト
【図１】
2010025300.tif 000003
【図２】
2010025300.tif 000004